(57)【特許請求の範囲】
【請求項１】
通信回線と内線との接続を切り替える回線切替装置において、
第１の電源電圧を生成する第１の電源回路と、
第２の電源電圧を生成する第２の電源回路と、
前記第１の電源回路から供給される前記第１の電源電圧により駆動され、前記内線と前記通信回線との接続を制御する制御回路と、前記第２の電源回路から供給される前記第２の電源電圧により駆動され、前記内線の状態を検出する内線検出回路とを有する内線対応回路と、
前記第２の電源電圧により駆動され、前記内線対応回路の動作を制御する処理回路と、
前記回線の着信状態を検出する着信検出回路と、
前記第１の電源回路で生成された前記第１の電源電圧の前記内線対応回路への供給をオン／オフさせる電源切替回路とを含み、
前記処理回路は、前記着信検出回路により着信が検出されておらず、前記内線検出回路により前記内線がオンフック状態であることが検出されると、前記電源切替回路をオフし、前記第１の電源回路から前記回線対応回路への前記第１の電源電圧の供給を停止させ、前記着信検出回路により着信が検出されたとき、又は、前記内線検出回路により前記内線がオフフック状態であることが検出されたときに、前記電源切替回路をオンし、前記第１の電源回路から前記回線対応回路に前記第１の電源電圧を供給させる回線切替装置。
【請求項２】
前記回線対応回路は、接続先を前記通信回線又は前記制御回路に切り替える第１の回線切替回路と、前記内線の接続先を前記第１の回線切替回路又は前記内線検出回路に切り替える第２の回線切替回路とを有し、
前記処理回路は、前記制御回路により前記第１の回線切替回路を前記内線が前記制御回路に接続されるように切り替え、前記第２の回線切替回路を前記内線と前記内線検出回路とが接続されるよう切り替えた後に、前記電源切替回路をオフする請求項１記載の回線切替装置。
【請求項３】
第１の電源電圧を生成する第１の電源回路と、第２の電源電圧を生成する第２の電源回路と、前記第１の電源回路から供給される前記第１の電源電圧により駆動され、前記内線と前記通信回線との接続を制御する制御回路と、前記第２の電源回路から供給される前記第２の電源電圧により駆動され、前記内線の状態を検出する内線検出回路とを有する内線対応回路と、前記第２の電源電圧により駆動され、前記内線対応回路の動作を制御する処理回路と、前記内線のフックの状態を検出する内線検出回路と、前記回線の着信状態を検出する着信検出回路と、前記第１の電源回路で生成された前記第１の電源電圧の前記内線対応回路への供給をオン／オフさせる電源切替回路とを有する回線切替装置の回線切替方法であって、
前記処理回路により、前記着信検出回路により着信が検出されておらず、前記内線検出回路により前記内線がオンフック状態であることが検出されると、前記電源切替回路をオフし、前記第１の電源回路から前記回線対応回路への前記第１の電源電圧の供給を停止させ、前記着信検出回路により着信が検出されたとき、又は、前記内線検出回路により前記内線がオフフック状態であることが検出されたときに、前記電源切替回路をオンし、前記第１の電源回路から前記回線対応回路に前記第１の電源電圧を供給させる回線切替方法。
【発明の詳細な説明】
【０００１】
【発明の属する技術分野】
本発明は回線切替装置及び回線切替方法に係り、特に、着信あるいは、オンフックを検出して回線を切り替える回線切替装置及び回線切替方法に関する。
【０００２】
【従来の技術】
図１は、従来の回線切替装置の一例のブロック構成図を示す。
【０００３】
回線切替装置１は、通信回線２と通信端末装置３−１〜３−Ｎとの間に接続され、通信回線２と通信端末装置３−１〜３−Ｎとの接続を自動的に切り替える装置である。
【０００４】
回線切替装置１は、ループ監視部１０、着信検出回路１１、リレー１２、トランス１３、アンプ１４、１５、モデム１６、ＣＰＵ１７、リレー駆動回路１８、内線対応回路１９−１〜１９−Ｎ、電源装置２０、コンデンサＣ１、Ｃ２を含む構成とされている。
【０００５】
通信回線２には、ループ監視部１０、着信検出回路１１及びリレー１２、並びに内線対応回路１９−１〜１９−Ｎが接続される。また、内線対応回路１９−１には通信端末装置３−１が接続され、内線対応回路１９−２には通信端末装置３−２が接続され、内線対応回路１９−Ｎには通信端末装置３−Ｎが接続される。
【０００６】
内線対応回路１９−１は、リレー２１及び制御回路２２を含む構成とされている。リレー２１はリレー駆動回路１８からの駆動信号によりスイッチングされ、通信端末装置３−１を通信回線２又は制御回路２２に接続する。制御回路２２は、ＣＰＵ１７と接続されており、ＣＰＵ１７からの指示に応じて通信端末装置３−１に電流供給したり、通信端末装置３−１からのフックオフ・フックオン検出を検出してＣＰＵ１７に供給したり、ＣＰＵ１７からの指示に応じて通信端末装置３−１にリンガ送信を行ったりする。
【０００７】
なお、内線対応回路１９−２〜１９−Ｎは、内線対応回路１９−１と同様な構成であるので、その詳細な説明は省略する。
【０００８】
また、電源装置２０は、トランス３１、３２、電源回路３３、３４を含む構成とされていた。トランス３１及び電源回路３３は、１００〔Ｖ〕の交流商用電源から１５０〔Ｖ〕及び４８〔Ｖ〕の直流駆動電圧を生成する。また、トランス３２及び電源回路３４は、１００〔Ｖ〕の交流商用電源から５〔Ｖ〕の直流駆動電圧を生成する。
【０００９】
トランス３１及び電源回路３３で生成された１５０〔Ｖ〕及び４８〔Ｖ〕の直流駆動電圧は、制御回路２２に供給される。制御回路２２では、１５０〔Ｖ〕及び４８〔Ｖ〕の直流駆動電圧により通信端末装置への電流の供給を行うとともに、オンフック・オフフック検出及びリンガ送出の駆動を行う。トランス３２及び電源回路３４で生成された５〔Ｖ〕の直流駆動電圧は、送受信アンプ１４、１５、モデム１６、ＣＰＵ１７に供給され、回路の駆動に用いられる。
【００１０】
次に、着信時の動作を図面とともに説明する。
【００１１】
図２、図３は、従来の回線切替装置の一例の着信時の動作説明図を示す。
【００１２】
通信回線２からの着信信号は、コンデンサＣ１により直流成分がカットされて、着信検出回路１１に供給される。着信検出回路１１は、通信回線２からの信号に基づいて着信を検出し、着信を検出すると着信検出信号をＣＰＵ１７に供給する。
【００１３】
ＣＰＵ１７は、ステップＳ１−１で、着信検出回路１１から着信検出信号が供給されると、ステップＳ１−２でリレー駆動回路１８を制御して、リレー１２をオンするとともに、モデム１６に応答指示を行う。モデム１６は、ＣＰＵ１７からの応答指示に基づいて応答信号を生成する。モデム１６で生成された応答信号は、送信アンプ１５により増幅される。送信アンプ１５で増幅された応答信号は、コンデンサＣ２により直流成分が除去された後、トランス１３を供給される。トランス１３により通信回線２と回線切替装置１との電気的絶縁が計られる。トランス１３を通過した応答信号は、リレー１２を介して通信回線２に供給される。なお、ＣＰＵ１７は、ステップＳ１−１で着信信号が検出されてない状態では、着信待状態とされる。
【００１４】
相手先は、回線切替装置１からの応答信号に応じて内線指示を行う。相手先通信端末装置は、内線指示に応じた内線指定信号を通信回線２に送信する。内線指定信号は、リレー１３、コンデンサＣ２を介して受信アンプ１４に供給される受信アンプ１４は、内線指定信号を増幅してモデム１６に供給する。モデム１６は、内線指定信号をＣＰＵ１７に供給する。
【００１５】
ＣＰＵ１７は、ステップＳ１−４でモデム１６から内線指定信号を受信したは否かを判定している。ＣＰＵ１７は、通信回線２に相手先から内線指定信号が供給されると、ステップＳ１−５で指定された通信端末装置３−ｉに対応する内線対応回路１９−ｉの制御回路２２にリンガ送出を行う指示を行う。制御回路２２は、ＣＰＵ１７からのリンガ送出指示に基づいて通信端末装置３−ｉに呼出信号を送出する。なお、このとき、リレー２１は、通信端末装置３−ｉと制御回路２２とが接続されるように切り替わっている。
【００１６】
制御回路２２は、呼出信号を送出後、通信端末装置３−ｉのオフフックを監視する。制御回路２２は、通信端末装置３−ｉのオフフックを検出すると、ＣＰＵ１７に内線応答を供給する。
一方、ＣＰＵ１７は、ステップＳ１−７で制御回路２２からの内線応答の有無を判定しており、ステップＳ１−７で制御回路２２から内線応答がなければ、ステップＳ１−８で制御回路２２からの内線応答を待機する。
【００１７】
ＣＰＵ１７は、ステップＳ１−７で制御回路２２から内線応答があれば、ステップＳ１−９で内線の呼び出しを停止し、ステップＳ１−１０でリレー駆動回路１８を制御して、リレー２１を通信回線２と通信端末装置３−ｉとが接続されるように制御する。以上により内線と通信回線２とが接続される。
【００１８】
次にＣＰＵ１７は、ステップＳ１−１１でリレー駆動回路１８を制御してリレー１２をオフし、自動応答状態を解除する。
【００１９】
ＣＰＵ１７は、ステップＳ１−１２で通話の終了を監視している。通話の終了は、ループ監視部１０により検出される。ループ監視部１０は、フォトカプラ１０ａ、１０ｂ及びループ監視回路１０ｃから構成される。フォトカプラ１０ａは、発光ダイオードＤ1及びフォトトランジスタｔｒ1から構成されている。発光ダイオードＤ１は、通信回線２からリレー１２の接点ｃ２への方向が順方向となるように接続されており、通信回線２からリレー１２の接点ｃ２に供給される電流により発光する。フォトトランジスタＴｒ１は、発光ダイオードＤ１が発光したときに、電流をループ監視回路１０ｃに供給する。フォトカプラ１０ａは、発光ダイオードＤ２及びフォトトランジスタｔｒ２から構成されている。発光ダイオードＤ２は、リレー１２の接点ｃ２から通信回線２への方向が順方向となるように接続されており、リレー１２ｃの接点ｃ２から通信回線２に供給される電流により発光する。フォトトランジスタＴｒ２は、発光ダイオードＤ２が発光したときに、電流をループ監視回路１０ｃに供給する。
【００２０】
ループ監視回路１０ｃは、フォトトランジスタＴｒ１又はＴｒ２から電流が供給されているときにはループが確立していると判断し、フォトトランジスタＴｒ１又はＴｒ２から電流が供給されていないときにはループが確立していないと判断する。ループ監視回路１０ｃは、例えば、ループが確立しているときにはＣＰＵ１７にハイレベルの信号を供給し、ループが切断されているときには、ＣＰＵ１７にローレベルの信号を供給する。ＣＰＵ１７は、ループ監視回路１０ｃからの信号がローレベルになると通話が終了したと判断する。
【００２１】
ステップＳ１−１２で通話が終了してないければ、すなわち、ループ監視回路１０ｃからの信号がハイレベルのときには、ステップＳ１−１３で通話終了を待機する。ＣＰＵ１７は、ステップＳ１−１２で通話が終了したと判定すると、ステップＳ１−１４でリレー駆動回路１８を制御して、リレー２１を通信端末装置３−ｉと制御回路２２とが接続されるように制御する。リレー２１により通信端末装置３−ｉと制御回路２２とが接続された状態となることで再び待機状態とされる。
【００２２】
なお、ステップＳ１−６で内線通信端末装置３−１が呼び出された場合には、通信端末装置３−１について同様な動作が行われる。
【００２３】
次に発信時の動作を図面とともに説明する。
【００２４】
図４は、従来の回線切替装置の一例の発信時の動作説明図を示す。
【００２５】
内線対応回路１９−１〜１９−Ｎの制御回路２２は、待機状態で通信端末装置３−１〜３−Ｎのオフフックを検出している。制御回路２２は、接続された通信端末装置３−ｉのオフフックを検出すると、ＣＰＵ１７に供給する。ＣＰＵ１７は、制御回路２２からオフフックの検出信号を認識すると、ステップＳ２−３で、リレー駆動回路１８を制御して、内線対応回路１９−ｉのリレー２１を通信端末装置３−ｉと通信回線２とが接続されるように切り替える。
【００２６】
ＣＰＵ１７は、ステップＳ１−１２で通話の終了を監視している。通話の終了は、上記ループ監視部１０により検出される。ステップＳ２−４で通話が終了してないければ、ステップＳ２−５で通話終了を待機する。ＣＰＵ１７は、ステップＳ２−４で通話が終了したと判定すると、ステップＳ２−６でリレー駆動回路１８を制御して、リレー２１を通信端末装置３−ｉと制御回路２２とが接続されるように制御する。リレー２１により通信端末装置３−ｉと制御回路２２とが接続された状態となることで再び待機状態とされる。
【００２７】
以上のように従来の回線切替装置１は、待機状態においてオフフックを検出するために制御回路２２に電源を供給しておく必要があった。
【００２８】
【発明が解決しようとする課題】
しかるに、従来の回線切替装置は、回線を使用していないときでも着信あるいはオフフックを検出するために駆動電流を供給し続ける必要があったため、待機電流が大きく、消費電力が大きいなどの問題点があった。
【００２９】
本発明は上記の点に鑑みてなされたもので、待機電流を最小限にできる回線切替装置及び回線切替方法を提供することを目的とする。
【００３０】
【課題を解決するための手段】
本発明は、通信回線と内線との接続を切り替える回線切替装置において、第１の電源電圧を生成する第１の電源回路と、第２の電源電圧を生成する第２の電源回路と、前記第１の電源回路から供給される前記第１の電源電圧により駆動され、前記内線と前記通信回線との接続を制御する制御回路と、前記第２の電源回路から供給される前記第２の電源電圧により駆動され、前記内線の状態を検出する内線検出回路とを有する内線対応回路と、前記第２の電源電圧により駆動され、前記内線対応回路の動作を制御する処理回路と、前記回線の着信状態を検出する着信検出回路と、前記第１の電源回路で生成された前記第１の電源電圧の前記内線対応回路への供給をオン／オフさせる電源切替回路とを含み、前記処理回路は、前記着信検出回路により着信が検出されておらず、前記内線検出回路により前記内線がオンフック状態であることが検出されると、前記電源切替回路をオフし、前記第１の電源回路から前記回線対応回路への前記第１の電源電圧の供給を停止させ、前記着信検出回路により着信が検出されたとき、又は、前記内線検出回路により前記内線がオフフック状態であることが検出されたときに、前記電源切替回路をオンし、前記第１の電源回路から前記回線対応回路に前記第１の電源電圧を供給させることを特徴とする。
【００３５】
本発明によれば、着信検出回路により着信が検出されておらず、内線検出回路により内線がオンフック状態であることが検出されると、電源切替回路をオフし、第１の電源回路から回線対応回路への第１の電源電圧の供給を停止させ、着信検出回路により着信が検出されたとき、又は、内線検出回路により内線がオフフック状態であることが検出されたときに、電源切替回路をオンし、第１の電源回路から回線対応回路に第１の電源電圧を供給させることにより、第１の電源電電圧が不要な状態においては第１の電源回路への電源の供給を停止することができるので、待機時の装置の消費電力を大幅に低減できる。
【００３６】
【発明の実施の形態】
図５は、本発明の回線切替装置の一実施例のブロック構成図を示す。同図中、図１と同一構成部分には同一符号を付し、その説明は省略する。
【００３７】
本発明の回線切替装置１００は、内線対応回路１０１−１〜１０１―Ｎ、リレー駆動回路１０２及び電源装置１０３の構成並びにＣＰＵ１０４の処理動作が図１に示す従来の回線切替回路１とは相違する。
【００３８】
本実施例の内線対応回路１０１−１は、リレー２１及び制御回路２２に加えてリレー１１１及びコンパレータ１１２、プルアップ抵抗Ｒを有する構成とされている。リレー１１１は、リレー駆動回路１８からの駆動信号に応じて通信端末装置３−１の接続をリレー２１又はコンパレータ１１２とのいずれかに切り替える。プルアップ抵抗Ｒは、コンパレータ１１２の入力電圧をプルアップするものである。
【００３９】
通信端末装置３−ｉがリレー１１１によりコンパレータ１１２側に接続された状態で、通信端末装置３−ｉがオンフックされていると、コンパレータ１１２の入力電圧は所定電圧より大きくなるので、コンパレータ１１２の出力電圧はハイレベルになる。
【００４０】
また、通信端末装置３−ｉがリレー１１１によりコンパレータ１１２側に接続された状態で、通信端末装置３−ｉがオフフックされると、コンパレータ１１２の入力電圧が所定電圧より低下すると、コンパレータ１１２の出力電圧はローレベルになる。
【００４１】
さらに、リレー１１１により通信端末装置３−ｉがコンパレータ１１２から切断された状態では、プルアップ抵抗Ｒからの電圧によりコンパレータ１１２の入力電圧が所定電圧より大きくなるので、コンパレータ１１２の出力はハイレベルとなる。
【００４２】
なお、内線対応回路１０１−２〜１０１−Ｎは、内線対応回路１０１−１と同様な構成であるので、その詳細な説明は省略する。
【００４３】
次にリレー駆動回路１０２について説明する。
【００４４】
リレー駆動回路１０２は、リレー１２、２１に加えて、内線対応回路１０１−１〜１０１−Ｎ及びリレー１２１の切替制御が可能とされている。
【００４５】
次に、電源装置１０３について説明する。
【００４６】
電源装置１０３は、トランス３１、３２、電源回路３３、３４に加えて、リレー１２１を設けた構成とされている。リレー１２１は、リレー駆動回路１８に接続されており、リレー駆動回路１８からの駆動信号に応じてトランス３１への電源の供給をオン／オフする。リレー１２１は、待機状態ではオフされており、制御回路２２の動作は停止している。このため、通信端末装置への電流供給及びオンフック・オフフックの検出並びにリンガ送出は行えない。
【００４７】
次に、本実施例の着信時の動作を図面とともに説明する。
【００４８】
図６、図７は、本発明の一実施例の着信時の動作説明図を示す。同図中、図２、図３と同一処理部分には同一符号を付し、その説明は省略する。
【００４９】
ＣＰＵ１０４は、ステップＳ１−１〜Ｓ１−２で相手先からの着信に応じて相手先に自動応答が行われると、ステップＳ３−１でリレー駆動回路１０２を制御して、リレー１２１をオンする。
【００５０】
リレー１２１がオンされると、トランス３１に１００〔Ｖ〕の商用電源が印加されて電源回路３３から１５０〔Ｖ〕及び４８〔Ｖ〕の直流駆動電圧が出力される。電源回路３３から出力された１５０〔Ｖ〕及び４８〔Ｖ〕の直流駆動電圧は、制御回路２２に供給される。制御回路２２は、電源回路３３からの１５０〔Ｖ〕及び４８〔Ｖ〕の直流駆動電圧により駆動され、動作可能とされる。
【００５１】
このように待機状態から容易に通常の動作状態に移行できる。
【００５２】
ステップＳ１−４で相手先から内線指定信号が供給されると、ステップＳ３−２でリレー駆動回路１０２を制御して、対応する通信端末装置３−ｉに対応する内線対応回路１０１−ｉのリレー１１１を通信端末装置３−ｉとリレー２１とが接続されるように接続を切り替える。
【００５３】
また、ステップＳ１−４で相手先から内線指定信号がない場合には、相手先からの応答に応じて、ステップＳ３−３でリレー駆動回路１０２を制御して、予め指定された所定の通信端末装置３−１に対応する内線対応回路１０１−１のリレー１１１を通信端末装置３−１とリレー２１とが接続されるように接続を切り替える。
【００５４】
以降、ステップＳ１−５〜Ｓ１−１４は従来と同様な動作が行われる。
【００５５】
ステップＳ１−１４で通信端末装置３−ｉが通信回線２から切断されると、ＣＰＵ１０４は、ステップＳ３−４でリレー駆動回路１０２を制御して、それまで通話を行っていた通信端末装置３−ｉに対応する内線対応回路１０１−ｉのリレー１１１を通信端末装置３−ｉとコンパレータ１１２とが接続されるように切り替える。また、次にステップＳ３−５でリレー駆動回路１０２を制御して、リレー１２１をオフにする。
【００５６】
リレー１２１がオフされることにより、トランス３１への１００〔Ｖ〕の商用電源の供給が停止されるため、電源回路３３の動作が停止し、１５０〔Ｖ〕、４８〔Ｖ〕の直流駆動電圧は生成されなくなる。よって、１５０〔Ｖ〕、４８〔Ｖ〕の直流駆動電圧によって駆動される内線対応回路１０１−１〜１０１−Ｎの動作が停止する。
【００５７】
以上により回線切替回路１００は待機状態となる。本実施例の回線切替回路１００は、待機状態においてはリレー１２１がオフすることにより、トランス３１、電源回路３３並びに内線対応回路１０１−１〜１０１−Ｎの制御回路２２での電力消費をカットできるので、消費電力を大幅に低減できる。
【００５８】
次に本実施例の発信時の動作を図面とともに説明する。
【００５９】
図８は、本発明の一実施例の発信時の動作説明図を示す。同図中、図４と同一処理部分には同一符号を付し、その説明は省略する。
【００６０】
本実施例では、待機状態では、制御回路２２が停止状態となるので、制御回路２２で通信端末装置３−１〜３−Ｎのオフフックを検出することはできない。このため、コンパレータ１１２及びプルアップ抵抗Ｒが用いられる。
【００６１】
ＣＰＵ１０４は、ステップＳ４−１でコンパレータ１１２の出力を監視しており、コンパレータ１１２の出力がローレベルとなったことにより通信端末装置３−ｉのオフフックを検出する。
【００６２】
ＣＰＵ１０４は、ステップＳ４−１で通信端末装置３−ｉのオフフックを検出すると、ステップＳ４−２で、リレー駆動回路１０２を制御し、リレー１１１をオフフックされた通信端末装置３−ｉに対応する内線対応回路１０１−ｉのリレー１１１を通信端末装置３−ｉとコンパレータ１１２とが接続されるように切り替える。
【００６３】
ステップＳ２−３で、通信回線２と通信端末装置３−ｉとが接続されると、ステップＳ４−３で、リレー駆動回路１０２を制御して、１００〔Ｖ〕の商用電源をトランス３１に印加する。トランス３１及び電源回路３３により１５０〔Ｖ〕及び４８〔Ｖ〕の直流駆動電圧が生成され、内線対応回路１０１−１〜１０１−Ｎの制御回路２２に供給される。これにより、制御回路２２が動作状態とされる。
【００６４】
このように待機状態から容易に通常の動作状態に移行できる。
【００６５】
ＣＰＵ１０４は、通話が終了し、ステップＳ２−６でリレー２１が切り替わり、通信端末装置３−ｉが通信回線２から切断されると、ＣＰＵ１０４は、ステップＳ４−４でリレー駆動回路１０２を制御して、それまで通話を行っていた通信端末装置３−ｉに対応する内線対応回路１０１−ｉのリレー１１１を通信端末装置３−ｉとコンパレータ１１２とが接続されるように切り替える。また、次にステップＳ４−５でリレー駆動回路１０２を制御して、リレー１２１をオフにする。
【００６６】
リレー１２１がオフされることにより、トランス３１への１００〔Ｖ〕の商用電源の供給が停止されるため、電源回路３３の動作が停止し、１５０〔Ｖ〕、４８〔Ｖ〕の直流駆動電圧は生成されなくなる。よって、１５０〔Ｖ〕、４８〔Ｖ〕の直流駆動電圧によって駆動される内線対応回路１０１−１〜１０１−Ｎの動作が停止する。
【００６７】
以上により回線切替回路１００は待機状態となる。本実施例の回線切替回路１００は、待機状態においてはリレー１２１がオフすることにより、トランス３１、電源回路３３並びに内線対応回路１０１−１〜１０１−Ｎの制御回路２２での電力消費をカットできるので、消費電力を大幅に低減できる。
【００６８】
【発明の効果】
本発明によれば、着信検出回路により着信が検出されておらず、内線検出回路により内線がオンフック状態であることが検出されると、電源切替回路をオフし、第１の電源回路から回線対応回路への第１の電源電圧の供給を停止させ、着信検出回路により着信が検出されたとき、又は、内線検出回路により内線がオフフック状態であることが検出されたときに、電源切替回路をオンし、第１の電源回路から回線対応回路に第１の電源電圧を供給させることにより、第１の電源電電圧が不要な状態においては第１の電源回路への電源の供給を停止することができるので、待機時の装置の消費電力を大幅に低減できる。
【図面の簡単な説明】
【図１】従来の回線切替装置の一例のブロック構成図である。
【図２】従来の回線切替装置の一例の着信時の動作説明図である。
【図３】従来の回線切替装置の一例の着信時の動作説明図である。
【図４】従来の回線切替装置の一例の発信時の動作説明図である。
【図５】本発明の回線切替装置の一実施例のブロック構成図である。
【図６】本発明の一実施例の着信時の動作説明図である。
【図７】本発明の一実施例の着信時の動作説明図である。
【図８】本発明の一実施例の発信時の動作説明図である。
【符号の説明】
１００  回線切替装置
２  通信回線
３−１〜３−Ｎ  通信端末装置
１１  着信検出回路
１２、２１、１１１、１２１  リレー
１３  トランス
１４  受信アンプ
１５  送信アンプ
１６  モデム
２２  制御回路
３１、３２  トランス
３３、３４  電源回路
１０１−１〜１０１−Ｎ  内線対応回路
１０２  リレー駆動回路
１０３  電源装置
１０２  リレー駆動回路
１１２  コンパレータ
Ｒ  プルアップ抵抗
【図１】
0004084010.tif 000002
【図２】
0004084010.tif 000003
【図３】
0004084010.tif 000004
【図４】
0004084010.tif 000005
【図５】
0004084010.tif 000006
【図６】
0004084010.tif 000007
【図７】
0004084010.tif 000008
【図８】
0004084010.tif 000009